(57)【要約】【課題】  節水に向けた取り組みは維持しながら、市場で発生している様々な問題点に対して、お客様視点での対応を容易に実現可能とすることである。【解決手段】  洗浄水を溜め置くボールと、溜め置いた洗浄水を排出するトラップと、便器洗浄選定操作手段と、異常判定手段と、便器洗浄水供給制御手段と、トイレットペーパー長さ測定手段と、便器洗浄水供給手段と、を有することを特徴とすることにより、ボール内の汚物の状況に応じた適切な便器洗浄を行うことができるようになった。【選択図】  図１
2019143424.tif 000002
【特許請求の範囲】
【請求項１】
洗浄水を溜め置くボールと、溜め置いた洗浄水を排出するトラップと、
便器洗浄選定操作手段と、
異常判定手段と、
便器洗浄水供給制御手段と、
トイレットペーパー長さ測定手段と、
便器洗浄水供給手段と、を有することを特徴とする水洗大便器。
【請求項２】
前記便器洗浄水供給手段は、リム吐水手段及びゼット吐水手段、であることを特徴とする請求項１に記載の水洗段便器。
【発明の詳細な説明】
【技術分野】
【０００１】
本発明は、節水便器の洗浄水量を使用現場の持つ冗長性に配慮した調整を可能とすることに係り、特に節水便器でありながら排水配管と使用方法の冗長性に配慮することに好適な水洗大便器に関する発明である。
【背景技術】
【０００２】
従来の節水便器では、使用される現場の使用方法、および、排水配管の持つ冗長性に配慮して、使用回数や使用時間間隔に配慮した排水配管の設備としての機能維持のために、設備保護のための洗浄を実施している（例えば、特許文献１参照。）。 
このような場合、使用者や排水配管は仮定されたものを想定して仕様が決定されるため、結果として排水配管の機能維持ができなくなる恐れがあったり、大量の洗浄水を使い過ぎてしまったりする恐れがあるという問題があった。
【０００３】
また、便器が接続される排水配管において、長さ、曲がり数、勾配、段差などに上昇製があることは自明である。使用者のトイレットペーパー使用量にも冗長性があることを示しているものもある（例えば、非特許文献１参照。）。
しかし、この場合も冗長性の存在を使用者が認知することは難しく、結果として便器の排出が上手くいかないという不具合に対応するためには、排水配管のメンテナンスなどが必要なことも不可避で、使用者だけでは対処のしようが無いという問題があった。
【先行技術文献】
【特許文献】
【０００４】
【特許文献１】特許第４０９４７９７号公報
【非特許文献】
【０００５】
【非特許文献１】一般社団法人  日本レストルーム工業会編；温水洗浄便座の使用とトイレットペーパーの使用に関する実態調査結果，2016年07月http://www.sanitary-net.com/trend/research/toiletpaper2016.html
【発明の概要】
【発明が解決しようとする課題】
【０００６】
本発明は、上記問題を解決するためになされたもので、本発明の課題は、節水に向けた取り組みは維持しながら、市場で発生している様々な問題点に対して、お客様視点での対応を容易に実現可能とすることである。
【課題を解決するための手段】
【０００７】
上記目的を達成するために請求項１記載の発明によれば、洗浄水を溜め置くボールと、溜め置いた洗浄水を排出するトラップと、便器洗浄選定操作手段と、異常判定手段と、便器洗浄水供給制御手段と、トイレットペーパー長さ測定手段と、便器洗浄水供給手段と、を有することを特徴とすることにより、ボール内の汚物の状況に応じた適切な便器洗浄を行うことができるようになった。
【０００８】
上記目的を達成するために請求項１記載の発明によれば、前記便器洗浄水供給手段は、リム吐水手段及びゼット吐水手段、であることを特徴とすることにより、ボール内の汚物の状況に応じた適切な便器洗浄を行うことができるようになった。
【発明の効果】
【０００９】
本発明によれば、お客様が状態を確認しながら、洗浄シーケンスを調整して対処できるという効果がある。
【図面の簡単な説明】
【００１０】
【図１】本発明の大便器装置の外観を示す斜視図である。
【図２】本発明の大便器装置の機能構成を模式的に示すシステムブロック図である。
【図３】本発明の大便器装置の洗浄水量変更事例を示す一覧表である。
【図４】本発明の大便器装置の便器洗浄シーケンスの動作パターンを示すタイミングチャートである。
【図５】本発明の大便器装置の動作を示すフローチャートである。
【発明を実施するための形態】
【００１１】
図１は、本発明の大便器装置の外観を示す斜視図である。図１を使用して、本実施形態における大便器の全体構成について以下に述べる。
トイレ空間１には、便器洗浄機能などの通常の便器機能を備えた洋風大便器２と、洋風大便器２の上面に配置された便座３と便座３の背部に一体的に組み込まれた衛生洗浄装置４とから構成される便座装置と、洋風大便器２の背後に設置されたキャビネット５と、使用者が各種操作を行なったり、各種設定や操作内容表示を確認するために壁に設けられた操作・表示部６とで構成されている。キャビネット５はトイレットペーパー、生理用品、清掃用具などの備品を収納するためのものである。壁にはトイレットペーパーを保持する紙巻器７が取り付けられている。洋風大便器２は陶器製または樹脂製または樹脂と陶器のハイブリッド製であり、洋風大便器２の上部には樹脂製の便座３が上下方向に回動自在に取り付けられている。なお、本実施形態では一般的に採用される便ふたを省略したものを示しているが、便ふたが取り付けられていても良い。便ふたを採用しないものは、医療機関などの施設において、便ふたを上下方向に回動させる動作が、身体に疾病を抱えている患者にとっては負担になるということに配慮したときに採用される仕様である。また便ふたを設置することで、使用者の排泄物に抗がん剤が含まれていたり、感染性のウィルスなどが含まれる可能性がある時に、その飛散を抑制することに期待されることもある。トイレは使用者の状態であったり、施設の特性であったり、または、使用者がどれくらいのトイレットペーパーを使うか等、様々な冗長性に配慮する必要がある。操作・表示部６は、洋風大便器に便器洗浄動作を指示するリモコン６１と、衛生洗浄装置操作用のリモコン６２で構成されている。
【００１２】
図２を使用して、本実施形態における大便器の各機能部の動作について以下に述べる。
洋風大便器２に対して、使用者が排泄し、トイレットペーパーを廃棄するボール２３の内部には、トラップ２１によって図示しない建物の排水配管起因の臭気や衛生施害虫がトイレ空間１に侵入しないよう溜水２２が形成されている。洋風大便器２の上方にはリム２０が形成されている。市水の供給を受ける便器洗浄水供給手段２４は、リム吐水手段２５とゼット吐水手段２６に対して適宜給水を実施して、洋風大便器２の便器洗浄動作を実施している。まずリム吐水手段２５に洗浄水を供給（以降、前リム洗浄と称する）してボール２３内を水洗し、次いでゼット吐水手段２６でトラップ２１に洗浄水を供給（以降、ゼット洗浄と称する）してサイホンを起動して、トイレットペーパーと排泄物混じりの溜水２２を建物の排水配管に排出し、更にリム吐水手段２５に洗浄水を供給（以降、後リム洗浄と称する）してボール２３内に封水を復帰させる。便器洗浄水供給手段２４に対して前述のシーケンス動作を指示するのが、制御部９に組み込まれた便器洗浄水供給制御手段９１である。制御部９には異常判定手段９２が組み込まれている。異常判定手段９２のシーケンスについては後述する。
【００１３】
操作・表示部６は、便器洗浄選定操作手段６３の入力結果、つまり大便洗浄か小便洗浄かを情報とする。またトイレットペーパーを使用しない男性の排尿を想定したエコ小便洗浄を情報として付加しても良い。紙巻器７は、トイレットペーパー長さ測定手段７１によって得られるトイレットペーパーの長さを情報とする。一般的なトイレットペーパーの使用量は最大５ｍとされており、それ以上使用される場合は異常状態であり、洋風大便器２から排出できなかったり、例えば財団法人ベターリビングが定めている搬送長さ１０ｍの基準を満足できなかったりする恐れがある。トイレットペーパーの場合、洋風大便器２から排出できなかったり、搬送長さ１０ｍの基準を満足できなかったりする恐れがある。本願は使用者が排水配管やトイレットペーパー使用量に係わる冗長性を配慮することをとしているが、特に搬送性能に影響ありとされているトイレットペーパー量に合わせた洗浄水量設定を行ってもよい。
【００１４】
図３は、本発明の大便器装置の洗浄水量変更事例を示す一覧表である。図３を使用して、本実施形態における大便器の洗浄水量の変更事例について以下に述べる。以下の案を使用者が実使用の中で確認して、それに対応する案を選択することで、発生している現象に対応できることになる。
【００１５】
使用者が感じる不具合事象に対して対応を詳説する。ボール２３に大便飛沫が付着したり、小便に起因する尿石が成長する場合、その現象に至った推定原因として、使用者の疾病や、それに対応するための投薬が原因として推定される。医療機関では一般的な不具合事象である。排泄が行われる前に付着しにくくする、またはＰＨが変化しにくくするために「１案：人体検知で前リム洗浄」すること、および、洗浄時の剥離エネルギーを増強するために「２案：前リム洗浄の洗浄水量増加」が期待される事項である。
【００１６】
次にボール２３内部の溜水２２が給水する事象について詳説する。原因としては、排水配管内で停滞している汚物をトリガーとして、排出した洗浄水が排水管内を満水化してサイホン現象によって負圧が発生する自己サイホン現象と、排水管路内を排泄物が移動する時に通気の流れ込みが不足して発生する誘導サイホン現象が一般的である。排出のためではなく、排水配管内の搬送に供する推力を向上させるものとして、「３案：排出洗浄のための瞬間流量増加」、および、「４案：排出洗浄のための洗浄水量増加」が効果的である。
【００１７】
次に便器の洗浄不良が散見される事象について詳説する。原因としては、異物投入に類する誤まった使い方は論外として、大量のトイレットペーパーを使用して排出できなかったという使用者の問題が考えられる。排水配管に問題がある場合として、排出動作のための通気量が不足していること、および、排水配管の曲がり数が多すぎたり、勾配不測、排水配管内のスケール付着によって汚物が停滞して、洗浄動作が円滑に進まないことが考えられる。使用者に対しては、使用方法の啓発、情報発信が必要である。排水配管内の搬送を円滑に進めることが必要であるから、「５案：後リム洗浄の洗浄水量増加」、および、「６案：後リム洗浄で定期的な設備保護洗浄」が効果的である。
【００１８】
図４は、図３にて説明した本発明の大便器の洗浄シーケンスを示すタイミングチャートである。図５を使用して、本実施形態における大便器の異常状態ごとの洗浄シーケンス変更事例について以下に述べる。
Ｓ１０１でフローチャートはスタートする。Ｓ１０２は使用者が不具合を検知するステップである。使用者の使用方法と排水配管の冗長性に影響される部分が大きいため、現象としては偶発的な事象になる。Ｓ１０３はその事象を経験して、どのような洗浄仕様に変更するかを考えるステップであり、これは使用者でしか判断しようがない。Ｓ１０４で調整操作を実施する。便器の図示しない調整ボタンや調整レバーの操作を行うことになる。その設定に従い便器は洗浄シーケンスをＳ１０５で変更する。使用者は再び日々の便器洗浄を行いながら、効果として妥当であったかを経験していくことになる。
【符号の説明】
【００１９】
１…トイレ空間
２…洋風大便器
２０…リム
２１…トラップ
２２…溜水
２３…ボール
２４…便器洗浄水供給手段
２５…リム吐水手段
２６…ゼット吐水手段
３…便座
４…衛生洗浄装置
５…キャビネット
６…操作・表示部
６１…リモコン
６２…リモコン
６３…便器洗浄選定制御手段
７…紙巻器
７１…トイレットペーパー長さ測定手段
９…制御部
９１…便器洗浄水供給制御手段
【図１】
2019143424.tif 000003
【図２】
2019143424.tif 000004
【図３】
2019143424.tif 000005
【図４】
2019143424.tif 000006
【図５】
2019143424.tif 000007